(57)【特許請求の範囲】
【請求項１】
装置本体とアダプタから構成され、
上記装置本体は、家庭用電源からの電力を受けて充電用の電力を供給する電力供給回路が内蔵され、且つ、第一の充電対象装置が嵌合されて充電用電力の供給を受ける位置を決める第一の凹部が形成され、その第一の凹部に前記電力供給回路からの電力を第一の充電対象装置に供給するための第一の電力出力端子が配設され、
上記アダプタは、上記第一の凹部に嵌合されて位置決めされた際に前記第一の電力出力端子と接続する第二の電力入力端子が付設され、且つ、第二の充電対象装置が嵌合されて充電用電力の供給を受ける位置を決める第二の凹部が形成され、更に、その第二の凹部に前記第二の充電対象装置が嵌合位置決めされるとその第二の充電対象装置の充電用電力を受け取る第二の電力入力端子と接続する第二の電力出力端子が備えられ、加えて、その第二の電力出力端子と前記第二の電力入力端子は互いに接続されていて、
更に、上記充電装置の本体に上記アダプタが非装着の場合にはその旨を、上記充電装置の本体に特定のアダプタが装着されている場合にはその特定のアダプタが装着されている旨をそれぞれ報知するランプが備えられてなることを特徴とする充電装置。
【請求項２】
上記アダプタが上記装置本体に装着された際に、前記アダプタと前記装置本体のいずれか一方側にメネジ部が形成され且つ他方側にそのメネジ部まで伸びる挿通孔が形成され、その挿通孔を通して前記メネジ部にビスが螺合することによって前記アダプタの前記装置本体への装着状態を保持するねじ止め手段と、前記アダプタと前記装置本体のいずれか一方側に掛止爪が且つ他方側に被掛止部がそれぞれ備えられ前記掛止爪が前記被掛止部に掛止して前記アダプタの前記装置本体への装着状態を保持する掛止手段の少なくともいずれかが備えられてなる請求項１に記載の充電装置。
【発明の詳細な説明】
【技術分野】
【０００１】  この発明は、例えば充電式マイクロフォン装置のように、電気・電子装置に内蔵の二次電池に充電用の電力を供給する充電装置に関する。
特に、充電対象装置の装置本体のサイズ、被充電用入力端子の配設位置と形状などが異なる二種類以上の充電対象装置に充電用電力を供給し得る充電装置の改良に関する。
【背景技術】
【０００２】  二次電池を内蔵する充電対象装置である充電式マイクロフォン装置では、前記二次電池の電力の補充には外部から電力の供給が必要である。
外部から電力を供給して内蔵の二次電池に電力の補充を行う充電式マイクロフォン装置用充電装置として、以下の公開特許公報で開示されたものが知られている。
【先行技術文献】
【特許文献】
【特許文献１】  実公平７−１５２６４号公報
【発明の概要】
【発明が解決しようとする課題】
【０００３】  実公平７−１５２６４号公報で開示された充電装置である充電スタンド２は、充電式マイク１をカップ部２ａで収納固定した状態で充電を行い、且つ、その位置で充電式マイク１の側の充電端子１ｂ，１ｃが充電スタンド２の側の接続ピン４と接続するように構成されている。
同公報で開示の充電スタンド２では、唯一種類の充電式マイクロフォン装置１のみに充電用の電力を供給する構成になっている。【０００４】  つまり、充電式マイク１の本体円筒部の径は充電スタンド２のカップ部２ａの径よりも僅かに小さく形成されている。
そして、充電式マイク１を充電スタンド２に嵌合配置すると、充電式マイク１は充電スタンド２のカップ部２ａによってほぼ位置決め固定される状態になる。【０００５】  加えて、充電式マイク１を充電スタンド２の内部に固定されると、充電式マイク１の底部に配設した円形状の充電端子１ｃとこれを取り囲むドーナツ形状の充電端子１ｂはそれぞれ接続ピン４に当接して電導状態となり、充電スタンド２から充電式マイク１に充電用電力が供給される構成になっている。
従って、斯かる構成の考案では、充電式マイク１が充電スタンド２から充電用電力の供給を受ける際には、充電式マイク１が充電スタンド２に対して位置決めされ、充電端子１ｂ，１ｃが充電スタンド２の側の接続ピン４に当接し電導状態となり充電可能な接続状態となって、何ら不具合は生じない。【０００６】  しかし、上述した構成の考案では、充電式マイク１の本体の径が異なる場合、充電端子１ｂ，１ｃの配設の位置及び充電端子１ｂ，１ｃの形状が充電装置の充電用端子に対応しておらず、結果的に充電用電力の供給が行われない場合、更に、充電端子１ｂ，１ｃの正極と負極の配置が充電装置の電極に対応していない場合、充電スタンド２が充電用電力を出力し得ても、唯一の種類の充電式マイク１にのみ充電用電力の供給が可能であり、他の異なるタイプの充電式マイクには充電用電力を供給できないという問題がある。
つまり、現在市場に出回って使用されている充電式マイクロフォン装置は、外観上の構成や形状こそ極めて似ているケースは多いが、装置そのものの大きさ、被充電用端子の形状・配置位置、被充電用端子の極性等について規格の統一は為されてはいない。【０００７】  このことは、メーカー毎で任意に商品を企画・製造したり、或いは、使用者の求めに応じてデザインが任意に決められていて、マイクロフォン装置本体つまり使用者が握って保持する円柱部の径、被充電用端子の配置位置・形状・極性に対して統一・共通化が行われないという事情に依るものである。
これらのマイクロフォン装置本体の径、被充電用端子の配置位置・形状、正極と負極の配置が互いに異なっている充電式マイクロフォン装置に対しては、当然、一種類の充電装置のみで充電用電力の供給を行うことは不可能である。【０００８】  殊に、充電式マイクロフォン装置において充電用電力を受け取る被充電用端子に対して正極と負極が対応しておらず極性が逆になって配設されている充電装置では、充電式マイクロフォン装置に充電が行われないばかりか、充電式マイクロフォン装置に破損が生じることになる。
他方、装置本体の径、被充電用端子の配置位置・形状、正極と負極の配置が互いに相異なる複数の充電式マイクロフォン装置に充電を行うために、それら相異なる複数の充電式マイクロフォン装置の種類の数だけそれぞれに対応する充電装置を用意し、対応する充電装置を用いて充電用電力を供給するという方法が考えられる。【０００９】  しかしながら、複数の充電式マイクロフォン装置に対応させて複数の充電装置を用意して選択的に使用する場合では、充電式マイクロフォン装置の数だけ充電装置を用意して使用することになってコスト高になるという問題が生じる。
又、その場に充電用電力の供給が全くないという訳でなく単に充電用端子と被充電用が互いに対応していないことであって実用性が低いという問題があった。【００１０】  斯かる問題に対して、充電装置とこの充電装置に適合しない充電対象装置の間にアダプタを介在させることによって、前記充電装置に適合しない充電対象装置に充電用電力を供給することが可能になる。
しかし、充電対象装置が例えばカラオケ用マイクフォンといったように、光量が不十分な環境下で使用する場合には、充電装置にアダプタが装着されているのか否か？、充電装置にアダプタが装着されている場合にそのアダプタが充電しようとしている対象装置に適合するものである否か？、ということについての判断は簡便に行うことが出来ず、実用性に欠けるという新たな問題が生じる。【００１１】  殊に、使用環境が不十分な光量下である場合には、充電装置に適合する充電対象装置を目視で確認するとなると問題はより一層深刻であった。
この発明は、上述した事情に鑑みて為されたものであって、特定の充電装置に適合しない充電対象装置に充電用電力を供給する際に前記充電装置と充電対象装置の間にアダプタを介在させて電力供給を行う場合、前記充電装置にアダプタが装着されているか否かの判別、前記充電装置にアダプタが装着されている場合にそのアダプタがどの充電対象装置に適合するかの判別が簡便に行い得る充電装置を提供するものである。
【課題を解決するための手段】
【００１２】  この発明は、装置本体に充電対象装置が接続されていなかったその旨を、装置本体にアダプタが装着されていたらその装着されているアダプタを特定する旨を、それぞれ示すランプを備えて、且つ、装置本体にアダプタを装着するとその状態を保持するための手段を備えて構成した充電装置である。
その詳細な構成は、装置本体とアダプタから構成され、
上記装置本体は、家庭用電源からの電力を受けて充電用の電力を供給する電力供給回路が内蔵され、且つ、第一の充電対象装置が嵌合されて充電用電力の供給を受ける位置を決める第一の凹部が形成され、その第一の凹部に前記電力供給回路からの電力を第一の充電対象装置に供給するための第一の電力出力端子が配設され、
上記アダプタは、上記第一の凹部に嵌合されて位置決めされた際に前記第一の電力出力端子と接続する第二の電力入力端子が付設され、且つ、第二の充電対象装置が嵌合されて充電用電力の供給を受ける位置を決める第二の凹部が形成され、更に、その第二の凹部に前記第二の充電対象装置が嵌合位置決めされるとその第二の充電対象装置の充電用電力を受け取る第二の電力入力端子と接続する第二の電力出力端子が備えられ、加えて、その第二の電力出力端子と前記第二の電力入力端子は互いに接続されていて、
更に、上記充電装置の本体に上記アダプタが非装着の場合にはその旨を、上記充電装置の本体に特定のアダプタが装着されている場合にはその特定のアダプタが装着されている旨をそれぞれ報知するランプが備えられてなることを特徴とする充電装置である。【００１３】  尚、上記装置本体への上記アダプタの装着固定について、上記装置本体に装着された際に、前記アダプタと前記装置本体のいずれか一方側にメネジ部が形成され且つ他方側にそのメネジ部まで伸びる挿通孔が形成され、その挿通孔を通して前記メネジ部にビスが螺合することによって前記アダプタの前記装置本体への装着状態を保持するねじ止め手段と、前記アダプタと前記装置本体のいずれか一方側に掛止爪が且つ他方側に被掛止部がそれぞれ備えられ前記掛止爪が前記被掛止部に掛止して前記アダプタの前記装置本体への装着状態を保持する掛止手段の少なくともいずれかが備えられてなる充電装置が挙げられる。
【発明の効果】
【００１４】  この発明の充電装置は、斯かる構成により、使用者は充電装置のランプの点灯状態を観ることによって充電装置にアダプタが装着されているか否か、及び、前記充電装置にアダプタが装着されている場合にそのアダプタがどの充電対象装置に適合するかの判別を簡便に行うことが可能になっている。
又、この時、斯かる判別のための報知はランプの点灯で行うから、光量が少ない環境下であっても使用者は簡単で確実に判別することが可能になっている。【００１５】  他方、この発明の充電装置は、充電装置本体にアダプタが装着された際にその状態を保持するための手段が備えられているので、特定の充電対象装置に適合するアダプタを充電装置本体への装着を保持させることによって、前記特定の充電対象装置に継続して充電用電力の継続が可能になっている。
【図面の簡単な説明】
【００１６】
【図１】  この発明を実施するための最良の形態に於いて、充電装置に適合す充電対象装置である充電式マイクロフォン装置に充電用電力を供給し得る状態の構成を説明する斜視図である。
【図２】  図１に示す実施するための最良の形態において、充電装置が充電式マイクロフォン装置に充電用電力を供給する状態の構成を説明する一部切り欠きと一部省略を含む要部斜視図である。
【図３】  この発明に於いて、アダプタを使用することによって充電装置に不適合である充電式マイクロフォン装置に充電用電力を供給し得る状態の構成を説明する図１相当図である。
【図４】  図３に示す充電装置、アダプタ及び充電式マイクフォン装置の関係を示す図２相当図である。
【発明を実施するための形態】
【００１７】  以下、この発明を、図面に基づいて実施する最良の形態によって説明する。しかし、この形態によってこの発明が限定されるものではない。
充電装置１は、充電対象装置である充電式マイクロフォン装置２，２ａに充電用の電力を供給するものであって、装置本体３と、カバー４と、アダプタ５を備えて構成されている。
【００１８】  装置本体３は、家庭用電源から電力を受けて充電用電力を発生・供給する電力供給回路（図示省略）と、この電力供給回路からの充電用電力を充電式マイクロフォン装置２，２ａに供給するための電力出力端子６，７が備えられている。
装置本体３には、天面から下方に向かって充電対象の充電式マイクロフォン装置２，２ａを嵌合するための凹部８，９が形成されている。
【００１９】  凹部８，９の底部１０にそれぞれ、砲弾形状の電力出力端子６，７が弾性的に突出の状態で配設されている。
電力出力端子６は凹部８，９の底部のほぼ中心に、電力出力端子７は凹部８，９の底部の中心から一定距離だけ離隔した位置に、それぞれ配設されている。
【００２０】  カバー４は、装置本体３の天面に載置されるものであって、装置本体３の所定の位置で載置されると装置本体３の凹部８，９に連通する円形の通孔１１，１２が開設されている。
装置本体３とカバー４の間には、装置本体３とアダプタ５の関係については後で詳述するが、ねじ止め手段と掛止手段が介在されている。
【００２１】  充電式マイクロフォン装置２は、ほぼ円柱形状であって、上部に音声を電気信号に変換するマイクロフォン（図示省略）が、底面には充電用電力の供給を受けるための電力入力端子１３，１４が配設されている。
電力入力端子１３は、充電式マイクロフォン装置２の底面のほぼ中央に配設され、円形状である。
【００２２】  電力入力端子１４は、ドーナツ形状であって、電力入力端子１３にほぼ同心円上に配設されている。
従って、装置本体３にカバー４が所定の位置で装着され、充電式マイクロフォン装置２がカバー４の通孔１１，１２を挿通して凹部８，９に嵌合されると、電力出力端子６，７と電力入力端子１３，１４はそれぞれ当接して電導の状態になるように構成されている。
【００２３】  更に、充電装置１には、カバー４が装置本体３に対して所定の位置で装着されると、装置本体３にカバー４が装着されていることを可視的に報知する赤色のランプ１５が備えられている。
ランプ１５は、カバー４が装置本体に所定の位置で装着されると、装置本体３から電力の供給を受けて点灯する構成になっている。
【００２４】  以下に於いて、充電装置１の装置本体３とアダプタ５の関係を説明する。
アダプタ５は、上部にカバー４と同様に装置本体３の天面に載置される上面部（図示省略）と、この上面部から垂直下方に伸び、アダプタ５が装置本体３に所定の位置で装着されると装置本体３の凹部８，９に嵌合する筒部１６，１７が備えられている。
【００２５】  筒部１６，１７の下端は、筒部１６，１７の軸線方向に対してほぼ垂直に位置する円形板１８によって閉塞されている。
円形板１８の下面には、充電式マイクロフォン装置２の電力入力端子１３，１４と同様に、円形状の電力入力端子１９とドーナツ形状の電力入力端子２０が配設されている。
【００２６】  電力入力端子１９，２０はそれぞれ、アダプタ５が装置本体３に対して所定の位置で装着されると、電力出力端子６，７と当接して電導状態になるように構成されている。
円形板１８の上面には、短冊形であって波状に中央が凸状に折曲された電力出力端子２１，２２が平行な状態で配設されている。
【００２７】  加えて、電力入力端子１９，２０はそれぞれ、電力出力端子２１，２２に接続されている。
他方、充電式マイクロフォン装置２ａは、ほぼ四角柱形状であって、上部に音声を電気信号に変換するマイクロフォン（図示省略）が、底面には充電用電力の供給を受けるための電力入力端子１３ａ，１４ａが配設されている。
【００２８】  電力入力端子１３ａ，１４ａは共に方形であって、ほぼ平行な状態で配設されている。
従って、アダプタ５が装置本体２に所定の位置で装着され、充電式マイクロフォン装置２ａが筒部１６，１７に嵌合されると、アダプタ５の電力出力端子２１，２２はそれぞれ充電式マイクロフォン装置２ａの電力入力端子１３ａ，１４ａに当接して接続するように構成されている。
【００２９】  装置本体３とアダプタ５の間には、アダプタ５が装置本体３に所定の位置で装着された際にその状態を保持させるための掛止手段と掛止手段が介在されている。
前記掛止手段は、アダプタ５に備えられた一対の掛止爪２３と、装置本体２の対応する部位に形成された被掛止部２４から構成されている。
【００３０】  他方、前記ねじ止め手段は、ビス２５と、装置本体３の縦方向に伸びるように開設されてビス２５が挿通する挿通孔２６と、アダプタ５に形成され、ビス２５が螺合するメネジ部（図示省略）から構成されている。
尚、装置本体３とカバー４の間にも、同じ構成で同じ機能を持つ掛止手段と掛止手段が介在されている。
【００３１】    更に、充電装置１には、アダプタ５が装置本体３に所定の位置で装着されると、装置本体３にアダプタ５が装着されていることを可視的に報知するための緑色のランプ２７が備えられている。
ランプ２７は、アダプタ５が装置本体３に所定の位置で装着されると、装置本体３から電力の供給を受けて点灯する構成になっている。
【００３２】  充電装置１は、上述したように構成されている。
従って、使用者が充電式マイクロフォン装置２か充電式マイクロフォン装置２ａのいずれかを充電しようとする際、赤色に点灯しているランプ１５か緑色に点灯しているランプ２７かを目視して、装置本体３に装着されているものがカバー４かアダプタ５かを容易に確認することができる。
つまり、充電式マイクロフォン装置２か充電式マイクロフォン装置２ａのいずれかの充電には、装置本体３に装着されるカバー４かアダプタ５かを選択することで充電対象装置に対応するが、その選択の前の時点でその時の充電装置１の充電可能な対象装置を知ることが可能になっている。
【００３３】  ここで、充電装置１が充電対象装置に対応できている場合、つまり、充電式マイクロフォン装置２の充電を行おうとしていて装置本体３にカバー４が装着されている場合、又は、充電式マイクロフォン装置２ａの充電を行おうとしていて装置本体３にアダプタ５が装着されている場合には、充電装置１をそのままの状態で使用する。
他方、充電装置１が充電対象装置に対応できていない場合、つまり、充電式マイクロフォン装置２の充電を行おうとしていて装置本体３にアダプタ５が装着されている場合、又は、充電式マイクロフォン装置２ａの充電を行おうとしていて装置本体３にカバー４が装着されている場合には、装置本体３に装着されているカバー４又はアダプタ５を他方に交換した後に充電装置１を使用する。
【００３４】  ここで、充電式マイクロフォン装置２はカバー４に、充電式マイクロフォン装置２ａはアダプタ５にそれぞれ嵌合して充電用の電力の供給を受け、充電が行われる。
他方、充電対象装置が三種類以上である場合には、その種類の数に見合っただけランプの種類を増やしたり点灯の仕方に特徴を持たせることによって、装置本体３に装着されているアダプタを特定することが可能である。
【００３５】  従って、使用者が充電を望んでいる充電式マイクロフォン装置２，２ａに充電装置１が対応できている否かの判断が簡便で間違いなく行うことができ、結果的に、確実であって、極性で問題の生じない充電を得ることが可能になっている。
又、充電装置１には装置本体３とカバー４、及び装置本体３とアダプタ５の間に掛止手段と掛止手段が介在されていることから、装置本体３に装着されたカバー４又はアダプタ５はその状態が保持され、結果的に、点灯するランプ１５又は２６は装置本体３から安定して継続的に電力の供給を受けることになる。
【００３６】  従って、ランプ１５又は２６は安定的に点灯するので、使用者は充電装置１は充電式マイクロフォン装置２，２ａのいずれかに対応する状態かを確実に知ることが可能である。
この発明の充電装置１は、充電対象装置が充電式マイクロフォン装置２，２ａであるが、トランスミッタ、携帯電話、携帯音楽プレーヤなどであってもよい。
【００３７】  充電装置１では、充電式マイクロフォン装置２をに充電する際には装置本体３にカバー４を装着する構成になっているが、カバー４を省いた構成であってもよい。
斯かる構成では、ランプ１５は装置本体３の天面に直接に配設する構造が挙げられる。
【符号の説明】
【００３８】１              ：充電装置
２，２ａ        ：充電対象装置としての充電式マイクロフォン装置
３              ：装置本体
４              ：カバー
５              ：アダプタ
６，７          ：電力出力端子
８，９          ：凹部
１３，１４      ：電力入力端子
１３ａ，１４ａ  ：電力入力端子
１５，２７      ：ランプ
１６，１７      ：筒部
１８            ：円形板
１９，２０      ：電力入力端子
２１，２２      ：電力出力端子
２３            ：掛止爪
２４            ：被掛止部
【図１】
0005487454.tif 000002
【図２】
0005487454.tif 000003
【図３】
0005487454.tif 000004
【図４】
0005487454.tif 000005